(57)【特許請求の範囲】
【請求項１】
燃料の重量を基準として、0.2重量％未満の硫黄を含む燃料油と
少なくとも一種のエポキシドとの一種以上の不飽和カルボン酸の二量体を含む少なくとも一種のヒドロカルビル置換ポリカルボン酸の反応により得られる生成物であって、１モル当量のカルボン酸基が0.5〜1.5モル当量のエポキシド基と反応させられることを特徴とする前記生成物とを含むことを特徴とする燃料油組成物。
【発明の詳細な説明】
【０００１】
（技術分野）
本発明はディーゼル燃料油の如き燃料油の潤滑性を改良するための添加剤に関する。本発明の添加剤を含む燃料油組成物は改良された潤滑性及び低減されたエンジン系磨耗を示す。
【０００２】
（背景技術）
環境に対する関心が、燃料を、特にディーゼルエンジンの如きエンジン中で、燃焼する時に放出物中の有毒成分を有意に低減するようにとの運動をもたらした。例えば、二酸化硫黄放出物を最小にしようとする試みがなされている。その結果として、燃料油の硫黄含量を最小にしようとする試みがなされている。例えば、典型的なディーゼル燃料油は従来１重量％以上の硫黄（元素状硫黄として表される）を含んでいたが、今ではそのレベルを0.2重量％、好ましくは0.05重量％、有利には0.01重量％未満、特に0.001重量％未満に低減することが望ましいと考えられている。
これらの低硫黄レベルを得るのに必要な燃料油の付加的な精製は極性成分のレベルの減少をしばしばもたらす。加えて、精製プロセスはこのような燃料油中に存在する多核芳香族化合物のレベルを低下し得る。
【０００３】
ディーゼル燃料油の硫黄、多核芳香族成分または極性成分の一種以上のレベルの低下はエンジンのインジェクション系を潤滑する油の能力を低下することがあり、その結果、例えば、エンジンの燃料インジェクションポンプがエンジンの寿命の比較的早期に破損する。破損は燃料インジェクション系、例えば、高圧ロータリーディストリビューター、イン−ラインポンプ及びインジェクター中で起こり得る。ディーゼル燃料油の不充分な潤滑性の問題はおそらく放出物を更に低減することを目的とする将来のエンジン系開発により悪化され、これが現在のエンジンよりも更に正確な潤滑性要件を有するであろう。例えば、高圧ユニットインジェクターの出現が燃料油潤滑性要件を増大すると予想される。
同様に、不充分な潤滑性はエンジン系のその他の領域中または燃料油の自然潤滑性による潤滑に依存性のその他の機械装置中で磨耗問題をもたらし得る。
燃料油用の潤滑性添加剤が当業界で記載されていた。WO 94/17160はカルボン酸とアルコールのエステルを含む添加剤を記載しており、その酸は２個から50個までの炭素原子を有し、またそのアルコールは１個以上の炭素原子を有する。グリセロールモノオレエートが例として特別に開示されている。式“R1(COOH)”（式中、R1は芳香族ヒドロカルビル基である）の酸が一般に開示されているが、例示されていない。
【０００４】
米国特許第3,273,981号明細書はA+Bの混合物である潤滑性添加剤を開示しており、Ａは多塩基酸、またはその酸をC1-C5の１価アルコールと反応させることによりつくられた多塩基酸エステルであり、一方、Ｂは多価アルコールと脂肪酸の部分エステル、例えば、グリセロールモノオレエート、ソルビタンモノオレエートまたはペンタエリスリトールモノオレエートである。その混合物はジェット燃料に用途がある。
米国特許第3,287,273号明細書はジカルボン酸と油不溶性グリコールの反応生成物である潤滑性添加剤を記載している。その酸は典型的には主としてリノール酸またはオレイン酸の如き不飽和脂肪酸の二量体であるが、少比率のモノマー酸がまた存在してもよい。アルカンジオールまたはオキサ−アルカンジオールがグリコール反応体として主として示唆されている。実施例７は１モル比率のジ酸と0.01〜0.75モル比率のエチレンオキサイドまたはプロピレンオキサイドの反応を開示している。
英国特許第1,231,185号明細書は一般式
【０００５】
【化１】
0004380912.tif 000002
【０００６】
（式中、Ｒ及びR'は夫々水素、アルキルまたはアリールである）のビシナルエポキシドとの反応による不飽和脂肪族ジカルボン酸のβ−ヒドロキシアルキルエステル及びβ−ヒドロキシアラルキルエステルの調製方法を開示している。ジカルボン酸反応体に関する特別な開示はマレイン酸、フマル酸、グルタコン酸及び2-メチレンアルカンジカルボン酸、例えば、イタコン酸及び2-メチレングルタル酸に限定される。
英国特許第1,552,280号明細書はポリカルボン酸-2-ヒドロキシアルキルエステル及び化粧組成物中の乳化剤としてのそれらの使用を開示している。これらのエステルは一般式
【０００７】
【化２】
0004380912.tif 000003
【０００８】
を有する。式中、Ａは必要によりヘテロ原子により置換または中断されていてもよいアルキル基、シクロアルキル基またはアリール基を表し、R1は水素または１〜12個の炭素原子を有するアルキル基を表し、かつR2は12〜22個の炭素原子を有するアルキル基を表し、ｎは０以上であり、かつｍは２以上であり、但し、ｍがｎ以上であり、かつｎ＋ｍが３以上であることを条件とする。これらのエステルは相当するカルボン酸及びエポキシドを反応させることにより製造される。
WO-A-9406896は型(-A-B)n（式中、ｎは１以上である）の芳香族酸無水物とエポキシドのオリゴマーまたはポリマーの反応生成物を開示している。添加剤は蒸留物燃料の低温特性を改良すると記載されている。
同様に、米国特許第5,266,084号明細書はアルケニル酸無水物またはジ酸均等物と長鎖エポキシドまたはジオール均等物から生成されてもよい蒸留物燃料用の低温流動性改良剤に関する。C18-C24アルキル化無水コハク酸が酸無水物反応体の例として引用されている。
【０００９】
一層正確な要件を有するエンジンの開発のためだけでなく、高品質の燃料についての消費者及び燃料製造業者からの一般の需要のために、既存物質よりも増進された性能を示す潤滑性添加剤に対する絶え間ない要望が当業界に存する。
加えて、特別な操作手段を必要としないで取扱可能である添加に対する所望がある。添加剤が低い周囲温度で固化する程度（例えば、結晶化による）は、添加剤が加熱操作及び混合操作の不在下で取り扱われる程度を決定する。多くの通常の添加剤は、燃料への添加の前に実質的な混合及び加熱を必要とし、このような操作が加工遅延を生じることがあり、それらの性能増進効果にもかかわらずこのような添加剤の使用を不経済にし得る。
【００１０】
（発明の開示）
或るモル量のエポキシドとのポリカルボン酸の反応により得られる或る種の生成物が優れた潤滑性性能及び取扱特性を示すことが今見出された。
第一の局面において、本発明は少なくとも一種のエポキシドとの少なくとも一種のヒドロカルビル置換ポリカルボン酸の反応により得られる生成物であって、１モル当量のカルボン酸基が0.5〜1.5モル当量のエポキシド基と反応させられることを特徴とする生成物を提供する。
第二の局面及び第三の局面において、本発明は少なくとも一種のエポキシドとの少なくとも一種のヒドロカルビル置換ポリカルボン酸の反応を含む第一の局面の生成物の製造方法であって、１モル当量のカルボン酸基を0.5〜1.5モル当量のエポキシド基と反応させることを特徴とする前記生成物の製造方法、及びこのような方法により得られた生成物を提供する。
【００１１】
本発明の更に別の局面は第一の局面もしくは第三の局面の生成物を含む添加剤組成物；第一の局面もしくは第三の局面の生成物、または添加剤組成物と、必要により相溶性溶剤中の一種以上の付加的な添加剤を含むことを特徴とする添加剤濃厚物組成物；燃料油と、第一の局面もしくは第三の局面の生成物、または添加剤組成物もしくは濃厚物組成物とを含むことを特徴とする燃料油組成物；燃料油組成物を含む内燃エンジン系；燃料油の潤滑性を改良するための生成物もしくは添加剤組成物または濃厚物の使用；並びにその生成物または添加剤組成物もしくは濃厚物組成物の添加を含むことを特徴とする燃料油潤滑性の改良方法を含む。
本発明の第一の局面及び第三の局面に特定された生成物は、低硫黄燃料油への添加後に、既存の潤滑性添加剤、特に米国特許第3,287,273号明細書に開示された二量体酸−グリコール生成物から得られる性能を有意に超えることができる燃料油潤滑性の改良を与える。また、これらの生成物は低温で優れた取扱特性を示す。
【００１２】
（発明を実施するための最良の形態）
本発明の第一の局面の生成物
生成物が誘導される酸または夫々の酸はヒドロカルビル置換ポリカルボン酸、例えば、脂肪族、飽和または不飽和の直鎖または分岐鎖のものであり、ジカルボン酸が好ましい。例えば、ジカルボン酸はアルケニルジカルボン酸であることが好ましく、２個または（好ましくは）１個の炭素−炭素二重結合を含むことが更に好ましい。例えば、その酸は式
R(COOH)n
（式中、ｘ（カルボン酸基の数）は整数を表し、２以上、例えば、２〜４であり、かつＲは２個から200個までの炭素原子を有するヒドロカルビル基を表す）により一般化されてもよく、これはｘの値に応じて多価であり、-COOH基は必要により互いに異なる炭素原子の位置の置換基であってもよい。
“ヒドロカルビル”は炭素及び水素を含む基を表し、その基は少なくとも１個の炭素原子を介してその分子の残部に連結されている。それは直鎖または分岐鎖であってもよく、その鎖は１個以上のヘテロ原子、例えば、Ｏ、Ｓ、ＮまたはＰにより中断されていてもよく、飽和または不飽和であってもよく、脂肪族もしくは脂環式または芳香族（複素環を含む）であってもよく、または置換されていてもよく、また置換されていなくてもよい。
【００１３】
好ましいポリカルボン酸は一種以上の不飽和脂肪族カルボン酸、例えば、リノール酸、オレイン酸、リノレン酸の二量体またはこれらの混合物を含む。カルボン酸基の間の炭素原子の数は12〜42の範囲であることが好ましい。
本発明の生成物を生成するのに使用される二量体酸はアルケンモノカルボン酸から生成されることが好ましい。このような酸は米国特許第3,287,273号明細書２欄、41行〜４欄、30行に広範に記載されており、その開示が本発明の記載の一部として本明細書に含まれる。このような酸が主として二量体酸の混合物中で市販されており、また少量の三量体酸及びモノマー酸がまた存在する。
また、アルケニル置換コハク酸が好ましく、そのアルケニル置換基は好ましくは10〜50個の炭素原子、更に好ましくは18〜30個の炭素原子を含む。
エポキシドは構造：
【００１４】
【化３】
0004380912.tif 000004
【００１５】
（式中、R1、R2、R3及びR4の夫々は独立に水素またはその酸に関して先に定義されたヒドロカルビル基から選ばれる）のものであってもよい。R1、R2、R3及びR4の好ましくは少なくとも二つ、更に好ましくは少なくとも三つ、最も好ましくは全部が水素であり、残りの一つ以上の基がアリールもしくはアルキルまたは置換もしくは中断されたアルキル、例えば、ポリオキサアルキル基もしくはポリアミノアルキル基、またはヒドロキシ置換もしくはアミノ置換アルキル基であることが好ましい。1,2-エポキシエタン、及び1,2-エポキシプロパンが特に好ましい。
生成物はポリカルボン酸とエポキシドの完全エステルを主として含むと考えられる。米国特許第3,287,273号明細書に記載された二量体酸とグリコールの反応生成物と較べて、ポリカルボン酸とエポキシドの反応生成物は反応中にオリゴマー化または重合し難い傾向を示すことがわかった。
例えば、酸二量体とエチレングリコールとの反応は1:2（ジ酸：グリコール）の化学量論比でさえも−（ジ酸−グリコール）−xオリゴマー（式中、ｘは整数である）からなる完全エステルの生成を有利にする傾向がある。対照的に、特定の比のエポキシドとの反応において、オリゴマー生成が減少され、異なる電子特性を有する異なる低分子量生成物が生じる。このような生成物は改良された潤滑性性能を示す。
【００１６】
酸反応体に存在するカルボン酸基１モル当量がエポキシド基好ましくは0.55〜1.25モル当量、更に好ましくは0.65〜1.2（例えば、0.75〜1.0）モル当量と反応させられる。生成物において、80％〜100％のエステル化が得られることが好ましい。平均1.8〜２個のエステル基を有するジカルボン酸をベースとする生成物が好ましい。
生成物の製造方法は塩基触媒、例えば、水酸化リチウムもしくは炭酸リチウム、水酸化カリウムまたはナトリウムメトキシドを使用する、エポキシドとの反応体カルボン酸化合物の開環反応による。好適なエポキシドとして、1,2-エポキシエタン及び1,2-エポキシプロパンが挙げられる。
反応は200℃未満、好ましくは150℃未満、例えば、120℃未満、50℃以上の温度で好適な溶媒中で行い得る。
【００１７】
本発明の添加剤組成物
本発明のもとに特定された添加剤組成物はそれ自体が燃料油用の一種以上の添加剤を含む組成物への生成物の混入により調製される。このような混入は既存の組成物またはその成分とのブレンドまたは混合により達成されてもよく、添加剤組成物を生成する。しかしながら、本明細書の意味内の“混入”はその他の材料との生成物の物理的混合に及ぶだけでなく、生成物の導入後、または放置後に得られるあらゆる物理的相互作用及び／または化学的相互作用に及ぶ。
多くの燃料油添加剤が当業界で知られており、生成物が混入される組成物を生成するのに使用し得る。
本発明の添加剤濃厚物組成物
濃厚物は生成物または添加剤組成物をその相溶性溶剤に混入することにより得られてもよい。得られる混合物は溶液または分散液であってもよいが、溶液であることが好ましい。好適な溶剤として、炭化水素溶剤、例えば、石油留分、例えば、ナフサ、ケロセン、ディーゼル油及び暖房油；芳香族炭化水素、例えば、芳香族留分、例えば、商品名“ソルベッソ”として販売される芳香族留分；パラフィン系炭化水素、例えば、ヘキサン及びペンタン並びにイソパラフィン；または“バイオ−ソルベント”、即ち、植物油から誘導された溶剤、例えば、ナタネメチルエステル、または以下に記載される燃料油を含む有機溶剤が挙げられる。
更に別の溶剤として、アルケンのオリゴマー及び水素化オリゴマー、例えば、水素化デセン-1二量体または三量体が挙げられる。また、アルコール及びエステル、特に高級アルコール、例えば、少なくとも８個の炭素原子を有する液体アルカノールが有益である。特に有益な溶剤はイソデカノールである。このような溶剤の混合物が相溶性溶剤系を生成するのに使用されてもよい。
【００１８】
濃厚物は80重量％まで、例えば、50重量％までの溶剤を含んでもよい。
生成物の存在にもかかわらず、組成物中のその他の添加剤の共存が取扱特性を付与するために或る量の溶媒を要求する場合に、濃厚物が添加剤組成物を燃料油に混入するための手段として特に好都合である。しかしながら、特に、少量の添加剤が必要とされ、添加剤の導入のために存在する装置がこのような小さい容積を測定または取り扱うのに必要な正確さを欠いている場合には、単独添加剤として生成物を含む濃厚物がまた使用されてもよい。
先に示したように、生成物及び添加剤組成物並びに濃厚物は低硫黄燃料油に特別な用途がある。
【００１９】
燃料油
燃料油は燃料の重量を基準として0.2重量％以下、好ましくは0.05％以下、更に好ましくは0.03％以下、例えば、0.01％以下、最も好ましくは0.005％以下、特に0.001％以下の硫黄濃度を有することが好ましい。このような燃料は燃料製造業界で知られている手段及び方法、例えば、溶剤抽出、水素脱硫及び硫酸処理により製造し得る。
本明細書に使用される“中間蒸留物燃料油”という用語は軽質ケロセン及びジェット燃料留分と重質燃料油留分の間の留分として原油を精製する際に得られた石油を含む。このような蒸留物燃料油は一般に約100℃、例えば、150℃〜約400℃の範囲内で沸騰し、360℃より上の比較的高い95％蒸留点（ASTM-D86により測定される）を有する蒸留物燃料油を含む。加えて、260-330℃の低い終留点そしてまた特に200 ppm（好ましくは50 ppm、特に100 ppm (wt/wt)）未満の硫黄含量を有する“シティ−ディーゼル”型燃料が“中間蒸留物燃料油”という用語に含まれる。
【００２０】
中間蒸留物は燃料が冷却する際にワックスとして沈殿するn-アルカンを含む、温度範囲にわたって沸騰する炭化水素の広がりを含む。それらは燃料の種々の％、例えば、50％、90％、95％が蒸発した温度（“蒸留プロフィール”）であって、初期の燃料の或る容積％が蒸留した暫定温度である温度により特性決定されてもよい。それらはまた流動点、曇点及びCFPP点、並びにそれらの初留点(IBP)及び95％蒸留点または終留点(FBP)により特性決定される。燃料油は常圧蒸留物もしくは真空蒸留物、または分解ガス油或いは直留蒸留物と熱分解蒸留物及び／または接触分解蒸留物のあらゆる比率のブレンドを含んでもよい。最も普通の中間蒸留物石油燃料油はディーゼル燃料及び暖房油である。ディーゼル燃料または暖房油は直留常圧蒸留物であってもよく、またはそれは或る少量、例えば、35重量％までの真空ガス油もしくは分解ガス油またはその両方を含んでもよい。
暖房油はバージン蒸留物、例えば、ガス油、ナフサ等と分解蒸留物、例えば、接触サイクル原油のブレンドからつくられてもよい。ディーゼル燃料の代表的な仕様は38℃の最低引火点及び282〜380℃の間の90％蒸留点を含む（ASTM指定D-396及びD-975を参照のこと）。
【００２１】
本明細書に使用される“中間蒸留物燃料油”という用語はまた生物燃料、または生物燃料と中間蒸留物石油燃料油の混合物に及ぶ。
生物燃料、即ち、動物源または植物源からの燃料が燃焼時に環境に害を及ぼさないと考えられ、再生可能資源から得られる。植物油、例えば、ナタネ油の或る種の誘導体、例えば、ケン化及び１価アルコールによる再エステル化により得られた誘導体がディーゼル燃料の代替物として使用されてもよい。例えば、容積基準で5:95または更には10:90までの生物燃料の混合物が現在市販されており、有益であることが報告されていた。
こうして、生物燃料は植物油もしくは動物油またはその両方もしくは誘導体である。
植物油は主としてモノカルボン酸、例えば、10-25個の炭素原子を含む酸のトリグリセリドであり、下記の式のトリグリセリドである。
【００２２】
【化４】
0004380912.tif 000005
【００２３】
式中、Ｒは飽和または不飽和であってもよい10-25個の炭素原子の脂肪族基である。
一般に、このような油は幾つかの酸のグリセリドを含み、その数及び種類は油の植物源により変化する。
油の例はナタネ油、コリアンダー油、大豆油、綿実油、サフラワー油、ヒマシ油、オリーブ油、落花生油、トウモロコシ油、アーモンド油、ヤシ殻油、ココナッツ油、カラシ実油、牛脂及び魚油である。ナタネ油（これは特にグリセロールでエステル化された脂肪酸の混合物である）が好ましい。何とならば、それは多量に入手でき、かつナタネから圧搾することにより簡単な方法で得られるからである。
これらの誘導体の例は植物油または動物油の脂肪酸のアルキルエステル、例えば、メチルエステルである。このようなエステルはエステル交換によりつくられる。
脂肪酸の低級アルキルエステルとして、例えば、市販の混合物としての以下のものが考えられる：12-22個の炭素原子を有する脂肪酸、例えば、ラウリン酸、ミリスチン酸、パルミチン酸、パルミトール酸、ステアリン酸、オレイン酸、ペトロセリン酸(petroselic acid)、リシノール酸、エレオステアリン酸、リノール酸、リノレン酸、エイコサン酸、ガドレイン酸、ドコサン酸またはエルカ酸（これらは50から150まで、特に90から125までのヨウ素価を有する）のエチルエステル、プロピルエステル、ブチルエステルそして特にメチルエステル。特に有利な性質を有する混合物は主として、即ち、少なくとも50重量％の16-22個の炭素原子及び１個、２個または３個の二重結合を有する脂肪酸のメチルエステルを含む混合物である。脂肪酸の好ましい低級アルキルエステルはオレイン酸、リノール酸、リノレン酸及びエルカ酸のメチルエステルである。
【００２４】
上記の種類の市販混合物は、例えば、低級脂肪族アルコールとのそれらのエステル交換による天然脂肪及び油の開裂及びエステル化により得られる。脂肪酸の低級アルキルエステルの製造について、高いヨウ素価を有する脂肪及び油、例えば、サフラワー油、ナタネ油、コリアンダー油、ヒマシ油、大豆油、綿実油、落花生油または牛脂から開始することが有利である。ナタネ油の新品種（その脂肪酸成分は18個の炭素原子を有する不飽和脂肪酸から80重量％以上まで誘導される）をベースとする脂肪酸の低級アルキルエステルが好ましい。
上記生物燃料は中間蒸留物石油燃料油とブレンドして使用されてもよい。このようなブレンドは典型的には0-10重量％の生物燃料及び90-100重量％の石油燃料油を含むが、その他の相対比率がまた有利な効果を生じるように使用されてもよい。“シティ−ディーゼル”型燃料油との生物燃料のブレンドが特に有益であり、これらの燃料油は硫黄の極めて低いレベルを示し、それ故、特に潤滑性問題を起こしやすい。
燃料油組成物において、油に混入される生成物の濃度は、例えば、燃料の重量当りの重量基準で生成物（活性成分）0.5-5,000 ppm、例えば、燃料の重量当りの重量基準で1-1,000 ppm、例えば、10-500 ppm、好ましくは10-200 ppm、更に好ましくは15-100 ppmの範囲であってもよい。
中間蒸留物燃料油に加えて、増大された潤滑性に関する要件を有するその他の燃料、例えば、高圧燃料インジェクション装置に意図される燃料（例えば、将来のガソリン）が本発明の添加剤で好適に処理し得る。
燃料油組成物が添加剤または濃厚物組成物の混入により生成される場合、これらの組成物の夫々の使用量は必要量の生成物の燃料油への混入を確実にするような量であろう。しかしながら、例えば、添加剤または濃厚物組成物の量は通常燃料の重量当りの重量基準で1-5,000 ppm（活性成分）、特に10-2000 ppm、例えば、50-1,000 ppmの範囲であろう。
今、本発明が以下の実施例のみを参照として更に説明される。
【００２５】
（実施例）
実施例１：化合物の調製
本発明の第一の局面で特定された生成物(A)をヒドロカルビル置換二量体酸混合物と1,2-エポキシエタン（エチレンオキサイド）の反応により調製した。使用した合成操作を以下に示す。また、エチレングリコール（1,2-ジヒドロキシエタン）を使用してつくられた、比較生成物Ｂを調製した。
生成物Ａ
重合脂肪酸の市販混合物（約20％の三量体及び２％の単量体を含む、主として酸二量体）(100g)、トルエン(100g)及びKOH(1g)を250mlのオートクレーブに仕込み、その容器を窒素でフラッシした。加熱を開始し、40℃でエチレンオキサイド16gを添加した。混合物から採取したアリコートが一定のTANに達するまで、その混合物を100℃に保った。約24時間後に、TANが100の初期値から６に低下した。その混合物を冷却し、溶剤を真空で除去した。回収した生成物は明黄色の液体であった。
生成物は主として酸二量体のジエステルを含むものと考えられる。
【００２６】
生成物Ｂ（比較例）
マグネチックスターラー、加熱マントル、窒素導入口及びディーン−スタークトラップを備えた250mlのガラスフラスコに、生成物Ａに使用した酸混合物64.4g、グリコール14g及びソルベント20（66℃〜93℃の沸騰範囲を有するエッソ・ソルベント20 DSP 65/95として知られている）59gを導入した。混合物の均一化後に、パラトルエンスルホン酸溶液（水中67重量％）1.5mlを導入した。水を除去しないで、その混合物を１時間にわたって加熱、還流した（70℃）。
次いで21gのソルベント20をフラスコから除去し、混合物の沸点が95-100℃に上昇した。その混合物を３時間にわたってこの温度で還流下に保ち、水4mlを回収した。
冷却後に、フラスコの内容物をロータベーパーフラスコに導入し、揮発物を真空で110℃までの温度で除去した。回収した生成物はわずかに粘稠なえんじ色の液体であった。
【００２７】
実施例２−潤滑性性能
生成物Ａ及びＢを下記の特性を有する低硫黄の中間蒸留物燃料油に添加した。
15℃における密度              0.8153
硫黄含量(ppm wt/wt)              4.5
セタン価                         51.6
蒸留特性（℃）                   10％  205.5
50％  237.1
90％  260.6
終留点   294.1
使用した夫々の添加剤の量及びHFRR試験の結果を表１に示す。
【００２８】
【表１】
0004380912.tif 000006
要するに、生成物Ａは驚くことに生成物Ｂよりも潤滑性添加剤として強力であったことがわかる。